(57)【要約】      （修正有）【課題】洗面所やドレッサーなどで、洗顔したり、メイクする場合などに、外したメガネを、手近な場所で簡便に保持することができるメガネホルダーを提供する。【解決手段】メガネホルダー本体２と、このメガネホルダー本体２を壁面部に固定させる固定部３とを有し、メガネホルダー本体２は、折り畳んだ状態のメガネ４のつる部５，５を保持しうる前面部材６と背面部材７とを有し、その前面部材６と背面部材７との間に折り畳んだ状態のメガネフレーム８の両側つる部５，５を載置しうるメガネ支持部９が形成されると共に、前面部材６の前面側にメガネフレーム８のブリッジ部１０を係止しうる突出部１１が設けられ、固定部３は背面部材７の背面部に設けられた。【選択図】図５
0003102595.tif 000002
【実用新案登録請求の範囲】
【請求項１】
メガネホルダー本体と、このメガネホルダー本体を壁面部に固定させる固定部とを有し、
上記メガネホルダー本体は、折り畳んだ状態のメガネのつる部を保持しうる前面部材と背面部材とを有し、その前面部材と背面部材との間に折り畳んだ状態のメガネフレームの両側つる部を載置しうるメガネ支持部が形成されると共に、上記前面部材の前面側にメガネフレームのブリッジ部を係止しうる突出部が設けられ、上記固定部は上記背面部材の背面部に設けられたことを特徴とするメガネホルダー。
【請求項２】
上記固定部は、上記背面部材の複数箇所に設けられた吸盤により形成されていることを特徴とする請求項１記載のメガネホルダー。
【請求項３】
上記メガネホルダー本体は、正面形状が動物の顔の形状にデザインされ、上記突出部は動物の顔における鼻部として形成されたことを特徴とする請求項１又は２記載のメガネホルダー。
【請求項４】
上記メガネホルダー本体における上記前面部材の前面部には、上記動物の顔における鼻部と目部が形成され、上記背面部材には、上記動物の顔における耳部が上記前面部材から外方へはみ出すように形成され、上記目部は、メガネが上記メガネホルダー本体に保持された状態で、そのメガネのレンズ部の内側に位置するように配置されていることを特徴とする請求項３記載のメガネホルダー。
【請求項５】
上記吸盤は柔軟性を有するプラスチックにより背面部が球面状に凹んだ略お椀形に形成されると共に、その中心部から前方へ突出する取付軸部が一体に設けられ、上記取付軸部は上記背面部材と前面部材とを貫通して両者を接合すると共に、その取付軸部の先端部が上記前面部材の前面部に露出することにより上記目部が形成されたことを特徴とする請求項２、３又は４記載のメガネホルダー。
【請求項６】
上記前面部材に上向きコ字状の切込線が設けられ、その切込線で囲まれた部位が後方及び上方へ折り返され、その折返片部が上記背面部材と前面部材との間に配置されることにより両者の間にスペースが形成され、そのスペースに上記メガネ支持部が形成されたことを特徴とする請求項１、２、３、４又は５記載のメガネホルダー。
【請求項７】
上記背面部材の中央部に切欠孔が形成され、その切欠孔の下方に前方へ突出するように略Ｕ字状に屈曲された突出部が設けられると共に、上記前面部材に孔部が設けられ、上記突出部が上記孔部を貫通して上記前面部材の前方へ突出することにより上記鼻部が形成されたことを特徴とする請求項４、５又は６記載のメガネホルダー。
【考案の詳細な説明】
【技術分野】
【０００１】
本考案はメガネホルダーに関する。
【背景技術】
【０００２】
従来のメガネホルダーは、メガネを使用しないときに、メガネを収納して保管するためにケース状に形成されている。
【０００３】
ところで、洗面所やドレッサーなどで、洗顔したり、メイクしたり、ヘアをセットする場合はメガネを外す必要があるが、その外したメガネは洗面所やドレッサーなどにおける台の上に置くことが多かった。従って、そのメガネが水に濡れたり、台から落下して破損する等の不具合があった。
【０００４】
しかしながら、外したメガネを上記のようなメガネホルダーに一々収納するのは極めて煩瑣であった。
【０００５】
なお、本出願人は上記課題を解決しうるメガネホルダーについて調査したが、関連する先行技術文献は発見できなかった。
【考案の開示】
【考案が解決しようとする課題】
【０００６】
そこで本考案は、洗面所やドレッサーなどで、洗顔したり、メイクしたり、ヘアをセットする場合に外したメガネを、手近な場所で簡便に保持することができるメガネホルダーの提供を課題とする。
【課題を解決するための手段】
【０００７】
上記課題を解決するために、請求項１記載の本考案に係るメガネホルダーは、メガネホルダー本体と、このメガネホルダー本体を壁面部に固定させる固定部とを有し、上記メガネホルダー本体は、折り畳んだ状態のメガネのつる部を保持しうる前面部材と背面部材とを有し、その前面部材と背面部材との間に折り畳んだ状態のメガネフレームの両側つる部を載置しうるメガネ支持部が形成されると共に、上記前面部材の前面側にメガネフレームのブリッジ部を係止しうる突出部が設けられ、上記固定部は上記背面部材の背面部に設けられたことを特徴とする。
【０００８】
即ち、本考案に係るメガネホルダーは、上記固定部によりメガネホルダー本体を壁面部に固定させ、前面部材と背面部材との間に形成された上記メガネ支持部に、折り畳んだ状態のメガネフレームの両側つる部を載置すると共に、上記前面部材の前面側に形成された突出部にメガネフレームのブリッジ部を係止してメガネを保持するものである。
【０００９】
また、請求項２記載の本考案に係るメガネホルダーは、上記固定部が、上記背面部材の複数箇所に設けられた吸盤により形成されていることを特徴とする。
【００１０】
即ち、本考案に係るメガネホルダーは、上記吸盤を壁面部に押し付けて吸着させることにより固定するものである。
【００１１】
また、請求項３記載の本考案に係るメガネホルダーは、上記メガネホルダー本体が、正面形状が動物の顔の形状にデザインされ、上記突出部は動物の顔における鼻部として形成されたことを特徴とする。
【００１２】
即ち、本考案に係るメガネホルダーは、メガネホルダー本体の正面形状が、子供等に親しみやすい動物の顔の形状にデザインされるものである。
【００１３】
また、請求項４記載の本考案に係るメガネホルダーは、上記メガネホルダー本体における上記前面部材の前面部には、上記動物の顔における鼻部と目部が形成され、上記背面部材には、上記動物の顔における耳部が上記前面部材から外方へはみ出すように形成され、上記目部は、メガネが上記メガネホルダー本体に保持された状態で、そのメガネのレンズ部の内側に位置するように配置されていることを特徴とする。
【００１４】
即ち、本考案に係るメガネホルダーは、鼻部と目部と耳部が形成されることにより動物の顔らしくなると共に、その動物がまるでメガネを掛けているようなデザインに形成されている。
【００１５】
また、請求項５記載の本考案に係るメガネホルダーは、上記吸盤が柔軟性を有するプラスチックにより背面部が球面状に凹んだ略お椀形に形成されると共に、その中心部から前方へ突出する取付軸部が一体に設けられ、上記取付軸部は上記背面部材と前面部材とを貫通して両者を接合すると共に、その取付軸部の先端部が上記前面部材の前面部に露出することにより上記目部が形成されたことを特徴とする。
【００１６】
即ち、本考案に係るメガネホルダーは、上記吸盤の取付軸部が上記背面部材と前面部材の接合手段になると共に、その取付軸部の先端部が上記目部になることにより、部品点数を増加させることなく、商品の外観品質を向上させている。
【００１７】
また、請求項６記載の本考案に係るメガネホルダーは、上記前面部材に上向きコ字状の切込線が設けられ、その切込線で囲まれた部位が後方及び上方へ折り返され、その折返片部が上記背面部材と前面部材との間に配置されることにより両者の間にスペースが形成され、そのスペースに上記メガネ支持部が形成されたことを特徴とする。
【００１８】
即ち、本考案に係るメガネホルダーは、上記折返片部により上記スペースが形成されると共に、そのスペースがメガネ支持部に形成され、その上にメガネが載置されて保持されるものである。
【００１９】
また、請求項７記載の本考案に係るメガネホルダーは、上記背面部材の中央部に切欠孔が形成され、その切欠孔の下方に前方へ突出するように略Ｕ字状に屈曲された突出部が設けられると共に、上記前面部材に孔部が設けられ、上記突出部が上記孔部を貫通して上記前面部材の前方へ突出することにより上記鼻部が形成されたことを特徴とする。
【００２０】
即ち、本考案に係るメガネホルダーは、上記鼻部を別部材を使用することにより形成するものではなく、上記背面部材に略Ｕ字状に屈曲するように突出部を形成し、その突出部を上記前面部材に形成された孔部を貫通させることにより鼻部を形成するものである。
【考案の効果】
【００２１】
請求項１記載の本考案に係るメガネホルダーは、メガネホルダー本体と、このメガネホルダー本体を壁面部に固定させる固定部とを有することから、洗面所やドレッサー等の近傍の壁などに、上記固定部を利用して簡単に固定することができる。
また、上記メガネホルダー本体は、折り畳んだ状態のメガネのつる部を保持しうる前面部材と背面部材とを有し、その前面部材と背面部材との間に折り畳んだ状態のメガネフレームの両側つる部を載置しうるメガネ支持部が形成されると共に、上記前面部材の前面側にメガネフレームのブリッジ部を係止しうる突出部が設けられたことから、洗顔したり、メイクしたり、ヘアをセットする場合に外したメガネを折り畳み状態にして、そのメガネフレームのつる部を上記メガネ支持部に載置し、かつ、そのブリッジ部を上記突出部に係止させることにより、メガネを確実かつ安定的に保持することができる。
また、メガネホルダー本体が、前面部材と背面部材とにより形成されるので、部品点数が少なく、低コストで製造することができる。
また、店頭などに上記固定部を利用して固定できるので、メガネのディスプレイ装置としても使用でき、有用性が高い。
【００２２】
また、請求項２記載の本考案に係るメガネホルダーは、上記固定部が吸盤により形成されていることから、固定部の形成が容易で製造コストを下げることができる。
また、上記吸盤が上記背面部材の複数箇所に設けられたことから、固定状態が安定する。
【００２３】
また、請求項３記載の本考案に係るメガネホルダーは、上記メガネホルダー本体の正面形状が動物の顔の形状にデザインされ、上記突出部は動物の顔における鼻部として形成されたことから、外観が見て楽しく、子供たちが喜んで使用するので、洗顔等をしつけるのに効果的である。
【００２４】
また、請求項４記載の本考案に係るメガネホルダーは、上記メガネホルダー本体における上記前面部材の前面部に、上記動物の顔における鼻部と目部が形成され、上記背面部材には、上記動物の顔における耳部が上記前面部材から外方へはみ出すように形成され、上記目部は、メガネが上記メガネホルダー本体に保持された状態で、そのメガネのレンズ部の内側に位置するように配置されていることから、メガネが上記メガネホルダー本体に保持されている状態では、ちょうど上記の動物がメガネを着用しているような興趣のある外観を呈することになるので、商品の外観品質を向上させることができる。
【００２５】
また、請求項５記載の本考案に係るメガネホルダーは、上記吸盤が柔軟性を有するプラスチックにより背面部が球面状に凹んだ略お椀形に形成されると共に、その中心部から前方へ突出する取付軸部が一体に設けられ、上記取付軸部は上記背面部材と前面部材とを貫通して両者を接合すると共に、その取付軸部の先端部が上記前面部材の前面部に露出することにより上記目部が形成されたことから、上記吸盤の取付軸部が、上記背面部材と前面部材の接合手段となり、かつ上記目部の形成手段となるので、上記背面部材と前面部材の接合手段や、上記目部の形成手段を特に設ける必要がない。従って、部品点数を減らして製造コストを低減することができる。
【００２６】
また、請求項６記載の本考案に係るメガネホルダーは、上記前面部材に上向きコ字状の切込線が設けられ、その切込線で囲まれた部位が後方及び上方へ折り返され、その折返片部が上記背面部材と前面部材との間に配置されることにより両者の間にスペースが形成され、そのスペースに上記メガネ支持部が形成されたことから、折り畳んだ状態のメガネフレームの両側つるを載置しうるメガネ支持部が、部品点数を増やすことなく、前面部材と背面部材との間に容易に形成されるので、製造コストを下げることができる。
【００２７】
また、請求項７記載の本考案に係るメガネホルダーは、上記背面部材の中央部に切欠孔が形成され、その切欠孔の下方に前方へ突出するように略Ｕ字状に屈曲された突出部が設けられると共に、上記前面部材に孔部が設けられ、上記突出部が上記孔部を貫通して上記前面部材の前方へ突出することにより上記鼻部が形成されたことから、上記突出状態の鼻部が部品点数を増やすことなく容易に形成されるので、製造コストを下げることができる。
【考案を実施するための最良の形態】
【００２８】
以下、図面を用いて本考案の実施の形態について説明する。
本実施形態に係るメガネホルダー１は、図１〜図４に示すように、メガネホルダー本体２と、このメガネホルダー本体２を壁面部に固定させる固定部３とを有し、上記メガネホルダー本体２は、図５に示すように、折り畳んだ状態のメガネ４のつる部５を保持しうる前面部材６と背面部材７とを有し、その前面部材６と背面部材７との間に折り畳んだ状態のメガネフレーム８の両側つる部５を載置しうるメガネ支持部９が形成されると共に、上記前面部材６の前面側にメガネフレーム８のブリッジ部１０を係止しうる突出部１１が設けられ、上記固定部３は上記背面部材７の背面部に設けられている。
また、上記固定部３は、図２〜図３に示すように上記背面部材７の複数箇所に設けられた吸盤１２により形成されている。
また、上記メガネホルダー本体２は、図１に示すように、正面形状が動物の顔の形状にデザインされ、上記突出部１１は動物の顔における鼻部１３として形成されている。
また、上記メガネホルダー本体２における上記前面部材６の前面部には、図１に示すように、上記動物の顔における鼻部１３と目部１４が形成され、上記背面部材７には、上記動物の顔における耳部１５が上記前面部材６から外方へはみ出すように形成され、上記目部１４は、メガネ４が上記メガネホルダー本体２に保持された状態で、そのメガネ４のレンズ部１６の内側に位置するように配置されている。
また、上記吸盤１２は、図２〜図４に示すように、柔軟性を有するプラスチックにより背面部が球面状に凹んだ略お椀形に形成されると共に、その中心部から前方へ突出する取付軸部１７が一体に設けられ、上記取付軸部１７は上記背面部材７と前面部材６とを貫通して両者を接合すると共に、その取付軸部１７の先端部１８が上記前面部材６の前面部に露出することにより上記目部１４が形成されている。
また、図１に示すように、上記前面部材６に上向きコ字状の切込線１９が設けられ、その切込線１９で囲まれた部位が後方及び上方へ折り返され、その折返片部２０が上記背面部材７と前面部材６との間に配置されることにより両者の間にスペース２１が形成され、そのスペース２１に上記メガネ支持部９が形成されている。
また、図３に示すように、上記背面部材７の中央部に切欠孔２２が形成され、その切欠孔２２の下方に前方へ突出するように略Ｕ字状に屈曲された突出部１１が設けられると共に、上記前面部材６に孔部２３が設けられ、上記突出部１１が上記孔部２３を貫通して上記前面部材６の前方へ突出することにより上記鼻部１３が形成されている。
【実施例１】
【００２９】
本実施例に係るメガネホルダー１は、図１に示すように、プラスチックシートにより形成されたメガネホルダー本体２を有している。
【００３０】
また、本実施例に係るメガネホルダー１は、図２に示すように、上記メガネホルダー本体２を壁面部に固定させうる固定部３を有している。
【００３１】
上記メガネホルダー本体２は、図１に示すように、プラスチックシート製の前面部材６と背面部材７とにより構成されている。
【００３２】
上記メガネホルダー本体２は、図１に示すように、上記前面部材６と背面部材７との間にメガネ支持部９が形成されている。
【００３３】
上記メガネホルダー本体２における上記メガネ支持部９は、図５に示すように、折り畳んだ状態のメガネ４のつる部５を載置できるように形成されている。
【００３４】
また、上記メガネホルダー本体２における上記前面部材６の前面側には、図１に示すように、突出部１１が形成されている。
【００３５】
上記メガネホルダー本体２における上記突出部１１は、図５に示すように、メガネフレーム８のブリッジ部１０を係止しうるように形成されている。
【００３６】
また、上記固定部３は、図２〜図４に示すように、上記メガネホルダー本体２における上記背面部材７の背面部に設けられている。
【００３７】
上記固定部３は、図２〜図３に示すように上記背面部材７の左右２箇所に設けられ、この固定部３は吸盤１２により形成されている。
【００３８】
上記吸盤１２は、柔軟性を有する塩ビ等のプラスチックにより、図２〜図４に示すように、背面部が球面状に凹んだ略お椀形に形成されている。
【００３９】
上記メガネホルダー本体２は、図１に示すように、正面形状が動物の顔、具体的には熊の顔の形状にデザインされている。そして、上記突出部１１は動物の顔における鼻部１３として形成されている。
【００４０】
上記メガネホルダー本体２における上記前面部材６の前面部には、図１に示すように、上記熊の顔における鼻部１３と目部１４が形成されると共に、上記背面部材７には、上記熊の顔における耳部１５が上記前面部材６から外方へはみ出すように形成されている。
【００４１】
上記目部１４は、図５に示すように、メガネ４が上記メガネホルダー本体２に保持された状態で、そのメガネ４のレンズ部１６の内側に位置するように配置されている。
【００４２】
また、上記吸盤１２は、図３に示すように、その中心部から前方へ突出する取付軸部１７が一体に設けられ、上記取付軸部１７は上記背面部材７と前面部材６とを貫通して両者を接合している。
【００４３】
図１に示すように、上記取付軸部１７の先端部１８は円板状に形成され、前面部材６の前面部に露出することにより上記目部１４として形成されている。
また、この先端部１８は取付軸部１７が貫通する孔の直径より外径が大きく形成され、取付軸部１７の抜けが防止されている。
【００４４】
また、図１に示すように、上記前面部材６に上向きコ字状の切込線１９が設けられ、その切込線１９で囲まれた部位が、図４に示すように、後方及び上方へ折り返され、その折返片部２０が上記背面部材７と前面部材６との間に配置されている。
上記折返片部２０は、図４に示すように、上記背面部材７を後方へ押して傾斜させ、又、前面部材６はその反力で傾斜するので、上記背面部材７と前面部材６の間には略Ｖ字状のスペース２１が形成されている。
そして、上記スペース２１が上記メガネ支持部９に形成されている。
【００４５】
上記背面部材７は、図４に示すように、中央部に切欠孔２２が形成され、その切欠孔２２の下方に前方へ突出するように略Ｕ字状に屈曲された突出部１１が形成されている。
これに対し、上記前面部材６には上記折返片部２０を設けることにより孔部２３が形成され、上記突出部１１がこの孔部２３を貫通して上記前面部材６の前方へ突出している。そして、この突出部１１が上記鼻部１３に形成されている。
なお、上記突出部１１は、図４に示すように、その上縁部が上記孔部２３の上縁部に係止して抜け止めされている。
【００４６】
従って、本実施の形態に係るメガネホルダー１を使用する場合には、図５に示すように、折り畳んだ状態のメガネ４を、上記突出部１１にブリッジ部１０を係止した状態で載置し、メガネの一対のレンズを上記前面部材６の前面に配置させると共に、メガネ４の２本のつる部５，５を前面部材６と背面部材７との間に挟まれる形で配置することにより、メガネホルダー本体２に収納することができる。
【００４７】
また、このようにメガネ４を収納したメガネホルダー本体２は、吸盤２，２によって適宜、壁面等に固着することができる。
また、収納されているメガネ４は、メガネホルダー本体２内に係止した状態で収納されているのみであることから、再度、メガネ４を使用する場合にも、容易にメガネ４を取り出し使用することができる。
【産業上の利用可能性】
【００４８】
本考案は、メガネを簡易に保持するメガネホルダーに適用可能である。
【図面の簡単な説明】
【００４９】
【図１】正面側の斜視図である。
【図２】背面側の斜視図である。
【図３】図１のＡ−Ａ線断面図である。
【図４】図１のＢ−Ｂ線断面図である。
【図５】使用状態を示す斜視図である。
【符号の説明】
【００５０】
１    メガネホルダー
２    メガネホルダー本体
３    固定部
４    メガネ
５    つる部
６    前面部材
７    背面部材
８    メガネフレーム)
９    メガネ支持部
１０  ブリッジ部
１１  突出部
１２  吸盤
１３  鼻部
１４  目部
１５  耳部
１６  レンズ部
１７  取付軸部
１８  先端部
１９  切込線
２０  折返片部
２１  スペース
２２  切欠孔
２３  孔部
【図１】
0003102595.tif 000003
【図２】
0003102595.tif 000004
【図３】
0003102595.tif 000005
【図４】
0003102595.tif 000006
【図５】
0003102595.tif 000007